(57)【要約】【解決手段】着脱式シリンジマイクロポンプのためのシステムおよび方法が提供される。より具体的には、着脱式シリンジマイクロポンプは、第１端部、取り付け端部および両者間の側壁を有するポンプハウジングを含み、ハウジングは、第１の端部に近接したベースを有し、取り付け端部は、シリンジに一時的に係合するような構造および配置の取り付け具を有する。少なくとも１つのウェーブスプリングが、ハウジング内に収められ、ベースに近接して取り付けられ、ウェーブスプリングは、ウェーブスプリングが張力下で圧縮され、ウェーブスプリングの初期高さがポンプハウジング内に配置される、圧縮された第１の位置と、張力の解放によってウェーブスプリングが通常はポンプハウジングから遠ざかる方向に伸びる第２の伸長した位置とを有する。ウェーブスプリングは、係合したシリンジの胴部の内側を通過するように予め選択された直径を有する。【選択図】図１
2019530536.tif 000002
【特許請求の範囲】
【請求項１】
ウェーブスプリングを備える着脱式シリンジマイクロポンプのためのシステムであって、
第１の端部、該第１の端部の反対側の取り付け端部、および両者の間の少なくとも１つの側壁を有するとともに、前記第１の端部に近接したベースを有するポンプハウジングであって、前記取り付け端部は、シリンジに一時的に係合するような構造および配置の取り付け具を有する、ポンプハウジングと、
前記ハウジングの内部に収められ、前記ベースに近接して取り付けられたウェーブスプリングと
を備え、
前記ウェーブスプリングは、該ウェーブスプリングが張力下で圧縮され、該ウェーブスプリングの初期高さがポンプハウジング内に配置される、第１の位置と、張力の解放によって該ウェーブスプリングが通常は前記ポンプハウジングから遠ざかる方向に伸びる第２の伸長した位置とを有し、前記ウェーブスプリングは、係合した前記シリンジの胴部内を通過するように予め選択された直径を有し、前記ウェーブスプリングは、係合した前記シリンジのプランジャシールと係合するような構造および配置の遠位端をさらに有し、前記第１の位置と前記第２の位置との間の張力の解放は、前記ウェーブスプリングの前記遠位端が前記プランジャシールを前記シリンジのノズルに向かって移動させることを可能にする、着脱式シリンジマイクロポンプのためのシステム。
【請求項２】
前記シリンジが、１組のフィンガグリップを有し、前記取り付け具は、前記フィンガグリップと係合するような構造および配置の１組の対向するフランジである、請求項１に記載の着脱式シリンジマイクロポンプのためのシステム。
【請求項３】
前記ウェーブスプリングの前記遠位端の少なくとも一部を受け取り、前記プランジャシールと係合する終端駆動部をさらに備える、請求項１に記載の着脱式シリンジマイクロポンプのためのシステム。
【請求項４】
前記ポンプハウジングの前記側壁は、第１の位置における前記ウェーブスプリングの高さよりもわずかに大きい寸法を有する、請求項１に記載の着脱式シリンジマイクロポンプのためのシステム。
【請求項５】
前記シリンジは、長さを有し、前記側壁の寸法は、前記シリンジの前記長さの半分よりも小さい、請求項４に記載の着脱式シリンジマイクロポンプのためのシステム。
【請求項６】
前記シリンジは、前記プランジャシールに初期に結合された着脱可能なプランジャを有し、前記ノズルの反対側の前記シリンジの端部に前記プランジャシールを引き寄せるように前記プランジャが動かされ、ウェーブスプリングを有する前記ポンプハウジングを前記初期の位置において前記シリンジに取り付け前に、前記プランジャは取り外される、請求項１に記載の着脱式シリンジマイクロポンプのためのシステム。
【請求項７】
前記ポンプハウジングは、該ポンプハウジングが前記シリンジに取り付けられたときにプランジャを受け入れるような構造および配置とされた前記ベースの端部に中央開口を有する、請求項１に記載の着脱式シリンジマイクロポンプのためのシステム。
【請求項８】
前記シリンジに取り付けられたときの前記着脱式シリンジマイクロポンプの動作は、向きに影響されない、請求項１に記載の着脱式シリンジマイクロポンプのためのシステム。
【請求項９】
前記ウェーブスプリングは、おおむね予め定められた時間期間にわたって前記シリンジから溶液を送出するように相関付けられた張力を有するように選択される、請求項１に記載の着脱式シリンジマイクロポンプのためのシステム。
【請求項１０】
前記ハウジングを前記シリンジから取り外すことで、前記ウェーブスプリングが前記プランジャシールから切り離され、前記シリンジの前記ノズルに向かう前記プランジャシールの前進が停止する、請求項１に記載の着脱式シリンジマイクロポンプのためのシステム。
【請求項１１】
前記着脱式シリンジマイクロポンプは、再使用可能である、請求項１に記載の着脱式シリンジマイクロポンプのためのシステム。
【請求項１２】
シリンジに結合したときの前記ポンプの動作の間、前記ウェーブスプリングの動きは、完全に前記ポンプハウジングおよび前記シリンジの前記胴部の内側で生じる、請求項１に記載の着脱式シリンジマイクロポンプのためのシステム。
【請求項１３】
前記ポンプハウジングの前記側壁は、円筒形である、請求項１に記載の着脱式シリンジマイクロポンプのためのシステム。
【請求項１４】
前記ウェーブスプリングの周りに少なくとも部分的に配置された少なくとも１つの渦巻きばねをさらに含む、請求項１に記載の着脱式シリンジマイクロポンプのためのシステム。
【請求項１５】
前記ウェーブスプリングの軸方向に整列された少なくとも１つの渦巻きばねをさらに含む、請求項１に記載の着脱式シリンジマイクロポンプのためのシステム。
【請求項１６】
ウェーブスプリングを備える着脱式シリンジマイクロポンプのためのシステムであって、
ベースが設けられている第１の端部、および該第１の端部の反対側の取り付け端部を有する円筒形のポンプハウジングであって、前記取り付け端部は、該円筒形のポンプハウジングを一時的に取り付けることができるシリンジによって提供される１組のフィンガグリップに一時的に結合するような構造および配置の少なくとも１つのフランジを提供し、該円筒形のポンプハウジングは、中心の長手軸を有する円筒形のポンプハウジングと、
前記ベースに近接して前記長手軸を中心にして前記ポンプハウジング内に配置された少なくとも１つのウェーブスプリングと
を備えており、
前記ウェーブスプリングは、第１の張力下の位置をもたらすように該ウェーブスプリングの遠位端が圧縮されるときに前記円筒形のポンプの内側に収まるように軸方向に圧縮可能であり、前記ウェーブスプリングの高さは、前記第１の張力下の位置まで圧縮された時、前記円筒形のポンプハウジングの長さとほぼ同じであり、前記ウェーブスプリングは、シリンジの胴部の内側で摺動するために充分な直径を有するようにさらに選択され、前記ウェーブスプリングの前記遠位端は、係合した前記シリンジのプランジャシールと係合するような構造および配置である、着脱式シリンジマイクロポンプのためのシステム。
【請求項１７】
前記円筒形のポンプハウジングの長さは、前記初期の張力位置における前記ウェーブスプリングの高さよりもわずかに大きい寸法を有する、請求項１６に記載の着脱式シリンジマイクロポンプのためのシステム。
【請求項１８】
前記ウェーブスプリングの前記遠位端の少なくとも一部を受け取り、前記プランジャシールと係合する終端駆動部をさらに備える、請求項１６に記載の着脱式シリンジマイクロポンプのためのシステム。
【請求項１９】
前記シリンジは、長さを有し、前記円筒形のポンプハウジングの長さは、前記シリンジの前記長さの半分よりも小さい、請求項１６に記載の着脱式シリンジマイクロポンプのためのシステム。
【請求項２０】
前記ポンプハウジングは、該ポンプハウジングが前記シリンジに取り付けられたときにプランジャを受け入れるような構造および配置とされた前記ベースに中央開口を有する、請求項１６に記載の着脱式シリンジマイクロポンプのためのシステム。
【請求項２１】
前記円筒形のポンプハウジングは、操作者が前記ウェーブスプリングの伸長した前記第２の位置への解放を望むまで、前記ウェーブスプリングを前記第１の位置に保持するように動作することができるウェーブスプリング拘束具をさらに含む、請求項１６に記載の着脱式シリンジマイクロポンプのためのシステム。
【請求項２２】
前記シリンジに取り付けられたときの前記着脱式シリンジマイクロポンプの動作は、向きに影響されない、請求項１６に記載の着脱式シリンジマイクロポンプのためのシステム。
【請求項２３】
前記ウェーブスプリングは、おおむね予め定められた時間期間にわたって前記シリンジから溶液を送出するように相関付けられた張力を有するように選択される、請求項１６に記載の着脱式シリンジマイクロポンプのためのシステム。
【請求項２４】
前記円筒形のポンプハウジングを前記シリンジから取り外すことで、前記ウェーブスプリングが前記プランジャシールから切り離され、前記シリンジの前記ノズルに向かう前記プランジャシールの前進が停止する、請求項１６に記載の着脱式シリンジマイクロポンプのためのシステム。
【請求項２５】
前記着脱式シリンジマイクロポンプは、再使用可能である、請求項１６に記載の着脱式シリンジマイクロポンプのためのシステム。
【請求項２６】
シリンジに結合したときの前記ポンプの動作の間、前記ウェーブスプリングの動きは、完全に前記ポンプハウジングおよび前記シリンジの前記胴部の内側で生じる、請求項１６に記載の着脱式シリンジマイクロポンプのためのシステム。
【請求項２７】
前記ウェーブスプリングの周りに少なくとも部分的に配置された少なくとも１つの渦巻きばねをさらに含む、請求項１６に記載の着脱式シリンジマイクロポンプのためのシステム。
【請求項２８】
前記ウェーブスプリングの軸方向に整列された少なくとも１つの渦巻きばねをさらに含む、請求項１６に記載の着脱式シリンジマイクロポンプのためのシステム。
【請求項２９】
ウェーブスプリングを備える着脱式シリンジマイクロポンプを使用して、シリンジから溶液を送出する方法であって、
ノズルと１組のフィンガグリップとの間に延びる胴部、および前記胴部内に前記フィンガグリップに近接して配置されたプランジャシールを有し、前記プランジャシールと前記ノズルとの間に溶液が配置されているシリンジを用意するステップと、
円筒形のポンプハウジング、ウェーブスプリング、およびウェーブスプリング拘束具を含む着脱式シリンジマイクロポンプを用意するステップであって、
前記円筒形のポンプハウジングは、ベースを備える第１の端部、および該第１の端部の反対側の取り付け端部を有し、前記取り付け端部は、前記シリンジの前記フィンガグリップに一時的に結合するような構造および配置の少なくとも１つのフランジを提供し、前記円筒形のポンプハウジングは、中心の長手軸を有しており、
前記ウェーブスプリングは、前記ベースに近接して前記長手軸を中心にして前記円筒形のポンプハウジング内に配置され、前記ウェーブスプリングは、張力のかかった第１の位置をもたらすように該ウェーブスプリングの遠位端が圧縮されるときに前記円筒形のポンプの内側に収まるように圧縮可能であり、前記ウェーブスプリングの高さは、前記円筒形のポンプハウジングの長さとほぼ同じであり、前記ウェーブスプリングは、前記シリンジの前記胴部の内側で摺動するために充分な直径を有するようにさらに選択され、前記ウェーブスプリングの前記遠位端は、係合したシリンジのプランジャシールと係合するような構造および配置であり、
前記ウェーブスプリング拘束具は、操作者によって解除されるまで前記ウェーブスプリングを初期の張力位置に保持するような構造および配置である、
着脱式シリンジマイクロポンプを用意するステップと、
前記着脱式ばね付勢マイクロポンプを前記シリンジに取り付けるステップと、
前記ウェーブスプリングの前記遠位端が前記シリンジの前記プランジャシールと係合することを可能にするために前記ウェーブスプリング拘束具を解除するステップであって、前記第１の位置からの張力の解放によって、前記ウェーブスプリングの前記遠位端で前記プランジャシールを前記シリンジの前記ノズルに向かって移動させることにより、前記シリンジからの溶液の送出が可能になる、前記ウェーブスプリング拘束具を解除するステップと
を含む方法。
【請求項３０】
前記円筒形のポンプハウジングの長さは、前記初期の張力位置における前記ウェーブスプリングの高さよりもわずかに大きい寸法を有する、請求項２９に記載の方法。
【請求項３１】
前記着脱式シリンジマイクロポンプは、前記ウェーブスプリングの前記遠位端の少なくとも一部を受け取り、前記プランジャシールと係合する終端駆動部をさらに備える、請求項２９に記載の方法。
【請求項３２】
前記シリンジは、長さを有し、前記円筒形のポンプハウジングの長さは、前記シリンジの前記長さの半分よりも小さい、請求項２９に記載の方法。
【請求項３３】
前記ポンプハウジングは、該ポンプハウジングが前記シリンジに取り付けられたときにプランジャを受け入れるような構造および配置とされた前記ベースの端部に中央開口を有する、請求項２９に記載の方法。
【請求項３４】
前記シリンジに取り付けられたときの前記着脱式シリンジマイクロポンプの動作は、向きに影響されない、請求項２９に記載の方法。
【請求項３５】
前記ウェーブスプリングは、おおむね予め定められた時間期間にわたって前記シリンジから溶液を送出するように相関付けられた張力を有するように選択される、請求項２９に記載の方法。
【請求項３６】
前記円筒形のポンプハウジングを前記シリンジから取り外すことで、前記ウェーブスプリングが前記プランジャシールから切り離され、前記シリンジの前記ノズルに向かう前記プランジャシールの前進が停止する、請求項２９に記載の方法。
【請求項３７】
前記着脱式シリンジマイクロポンプは、再使用可能である、請求項２９に記載の方法。
【請求項３８】
シリンジに結合したときの前記ポンプの動作の間、前記ウェーブスプリングの動きは、完全に前記ポンプハウジングおよび前記シリンジの前記胴部の内側で生じる、請求項２９に記載の方法。
【発明の詳細な説明】
【技術分野】
【０００１】
（関連出願の相互参照）
本出願は、２０１６年１０月１２日に出願された「ウェーブスプリングを備えるシリンジマイクロポンプのためのシステムおよび方法（ＳＹＳＴＥＭ  ＡＮＤ  ＭＥＴＨＯＤ  ＦＯＲ  Ａ  ＳＹＲＩＮＧＥ  ＭＩＣＲＯ  ＰＵＭＰ  ＷＩＴＨ  ＷＡＶＥ  ＳＰＲＩＮＧ）」という名称の米国特許仮出願第６２／４０７，３７６号について、米国特許法第１１９条（ｅ）に規定の利益を主張し、この米国特許仮出願の開示は、参照によって本明細書に組み込まれる。
【０００２】
（技術分野）
本発明は、一般に、満たされたシリンジから患者への注入ラインを介した薬剤の供給に使用することができるシリンジポンプに関する。ポンプは、シリンジの胴部内のプランジャシールに力を加えて、溶液をシリンジから注入ラインに移動させるように作用する。ポンプによってプランジャシールに加えられる力を予め設定することによって、溶液の注入の継続時間を管理することができる。ポンプはコンパクトなので、向きを考慮する必要がなく、引っ掛かって注入を遅延させる伝統的なシリンジプランジャのように、外側に動く部品のリスクもないポンプの動作を可能にする。
【背景技術】
【０００３】
シリンジポンプは、シリンジから注入ラインを通って患者に溶液を注入するために一般的に使用されている。注入は、一般に、或る時間期間にわたってゆっくりと生じる。
【０００４】
典型的なシリンジは、いくつかの周知の言うまでもない構成要素で構成され、そのうちのいくつかは、ノズルと１組のフィンガグリップとの間の胴部、胴部内に配置されたプランジャシール、およびプランジャであり、プランジャは、操作者が第１の場合において例えばノズルによってシリンジの胴部に溶液を引き込むためにプランジャシールをノズルから遠ざかる方向に引っ張ることができ、第２の場合においてノズルによって胴部から溶液を送出するためにプランジャシールをノズルに向かって押し込む／駆動することができるように、プランジャシールに取り付けられ、フィンガグリップよりも突出する。
【０００５】
したがって、プランジャが実質的にシリンジの胴部とほぼ同じ長さであることは、充分に理解および予想される。さらに、溶液が充てんされたとき、シリンジの全長、すなわち胴部とプランジャとを合わせた長さは、胴部単独の長さの約２倍になり得る。
【０００６】
したがって、機械式のシリンジポンプは、伝統的に、プランジャを収容し、初期の伸長した状態から完全に押し込まれた入れ子状の状態までの前進を機械的に生じさせることができるように、伸長したプランジャと少なくとも同じ長さである。
【０００７】
したがって、機械式のシリンジポンプは、少なくとも２つの問題を本質的にもたらし、この問題は、この問題がなければシリンジポンプの使用が望まれ得るいくつかの状況で望ましくない。第１の問題は、シリンジポンプが、プランジャの動作範囲に適応することによって、全体としてのシリンジの長さを著しく増加させることである。全体としてのシリンジの長さは一般に、少なくとも、完全に引き出されたときのシリンジの長さおよびプランジャの長さである。
【０００８】
この長さの増加は、その長さが、使用中のシリンジおよびポンプの持ち運びを望ましくないものおよび／または困難なものとし得る点で、少なくとも第２の要因を付加する。さらに、ハウジングの長さが、プランジャの作動に適応するための長さであるため、シリンジポンプの振動がプランジャに害を及ぼし、結果としてシリンジポンプの機能を妨げる可能性がある。
【０００９】
さらに、典型的なシリンジポンプは、使用中にコートのポケットまたはズボンのポケットに邪魔にならずに配置することが不可能である。
【００１０】
さらに、多くシリンジポンプは、配電網に接続すること、または電池のいずれかによって電気的に動力が与えられる。第１の場合、配電網に頼ると、患者が配電網への接続の領域から離れることを望んだとしても、シリンジポンプを使用中に容易に持ち運ぶことができない。第２の場合、電池を収容することで、シリンジポンプに余分な空間および重量が必要になり、やはり持ち運びの容易さが損なわれる可能性がある。
【００１１】
したがって、上記で特定された課題のうちの１つ以上を克服することができるシリンジポンプのための方法およびシステムが、必要とされている。
【発明の概要】
【００１２】
本発明は、ウェーブスプリングを備える着脱式シリンジマイクロポンプのための新規なシステムおよび方法を提供することによって、先行技術の問題を解決する。
【００１３】
具体的には、あくまでも例として、本発明の一実施形態によれば、ウェーブスプリングを備える着脱式シリンジマイクロポンプのためのシステムであって、第１の端部、該第１の端部の反対側の取り付け端部、および両者の間の少なくとも１つの側壁を有するとともに、前記第１の端部に近接したベースを有するポンプハウジングであって、前記取り付け端部は、シリンジに一時的に係合するような構造および配置の取り付け具を有するポンプハウジングと、前記ハウジングの内部に収められ、前記ベースに近接して取り付けられた少なくとも１つのウェーブスプリングとを含み、前記ウェーブスプリングは、該ウェーブスプリングが張力下で圧縮され、該ウェーブスプリングの初期高さがポンプハウジング内に配置される、圧縮された第１の位置と、張力の解放によって該ウェーブスプリングが通常は前記ポンプハウジングから遠ざかる方向に伸びる第２の伸長した位置とを有し、前記ウェーブスプリングは、係合した前記シリンジの胴部内を通過するように予め選択された直径を有し、前記ウェーブスプリングは、係合した前記シリンジのプランジャシールと係合するような構造および配置の遠位端をさらに有し、前記第１の位置と前記第２の位置との間の張力の解放は、前記ウェーブスプリングの前記遠位端が前記プランジャシールを前記シリンジのノズルに向かって移動させることを可能にする、着脱式シリンジマイクロポンプのためのシステムが提供される。
【００１４】
別の実施形態においては、ウェーブスプリングを備える着脱式シリンジマイクロポンプのためのシステムであって、ベースが設けられている第１の端部、および該第１の端部の反対側の取り付け端部を有する円筒形のポンプハウジングであって、前記取り付け端部は、該円筒形のポンプを一時的に取り付けることができるシリンジによって提供される１組のフィンガグリップに一時的に結合するような構造および配置の少なくとも１つのフランジを提供し、該円筒形のポンプは、中心の長手軸を有する円筒形のポンプハウジングと、前記ベースに近接して前記長手軸を中心にして前記ポンプハウジング内に配置された少なくとも１つのウェーブスプリングとを含み、前記ウェーブスプリングは、第１の張力下の位置をもたらすように該ウェーブスプリングの遠位端が圧縮されるときに前記円筒形のポンプの内側に収まるように軸方向に圧縮可能であり、前記ウェーブスプリングの高さは、前記第１の張力下の位置まで圧縮された時、前記円筒形のポンプハウジングの長さとほぼ同じであり、前記ウェーブスプリングは、シリンジの胴部の内側で摺動するために充分な直径を有するようにさらに選択され、前記ウェーブスプリングの前記遠位端は、係合した前記シリンジのプランジャシールと係合するような構造および配置である、着脱式シリンジマイクロポンプのためのシステムが提供される。
【００１５】
さらに別の実施形態においては、ウェーブスプリングを備える着脱式シリンジマイクロポンプを使用して、シリンジから溶液を送出する方法であって、ノズルと１組のフィンガグリップとの間に延びる胴部、および前記胴部内に前記フィンガグリップに近接して配置されたプランジャシールを有し、前記プランジャシールと前記ノズルとの間に溶液が配置されているシリンジを用意するステップと、円筒形のポンプハウジング、渦巻きばね、および渦巻きばね拘束具を含む着脱式シリンジマイクロポンプを用意するステップであって、前記円筒形のポンプハウジングは、ベースを備える第１の端部、および該第１の端部の反対側の取り付け端部を有し、前記取り付け端部は、前記シリンジの前記フィンガグリップに一時的に結合するような構造および配置の少なくとも１つのフランジを提供し、前記円筒形のポンプは、中心の長手軸を有しており、前記ウェーブスプリングは、前記ベースに近接して前記長手軸を中心にして前記円筒形のポンプハウジング内に配置され、前記ウェーブスプリングは、張力のかかった第１の位置をもたらすように該ウェーブスプリングの遠位端が圧縮されるときに前記円筒形のポンプの内側に収まるように圧縮可能であり、前記ウェーブスプリングの高さは、前記円筒形のポンプハウジングの長さとほぼ同じであり、前記ウェーブスプリングは、前記シリンジの前記胴部の内側で摺動するために充分な直径を有するようにさらに選択され、前記ウェーブスプリングの前記遠位端は、前記係合したシリンジのプランジャシールと係合するような構造および配置であり、前記ウェーブスプリング拘束具は、操作者によって解除されるまで前記ウェーブスプリングを前記初期の張力位置に保持するような構造および配置である、着脱式シリンジマイクロポンプを用意するステップと、前記着脱式ばね付勢マイクロポンプを前記シリンジに取り付けるステップと、前記ウェーブスプリングの前記遠位端が前記シリンジの前記プランジャシールと係合することを可能にするために前記ウェーブスプリング拘束具を解除するステップであって、前記第１の位置からの張力の解放によって、前記ウェーブスプリングの前記遠位端で前記プランジャシールを前記シリンジの前記ノズルに向かって移動させることにより、前記シリンジからの溶液の送出が可能になる、前記ウェーブスプリング拘束具を解除するステップとを含む方法が提供される。
【図面の簡単な説明】
【００１６】
【図１】少なくとも１つの実施形態による、シリンジおよびプランジャに関するウェーブスプリングを備える着脱式シリンジマイクロポンプの分解図である。
【００１７】
【図２Ａ】少なくとも１つの実施形態による、ウェーブスプリングを備える着脱式シリンジマイクロポンプのためのウェーブスプリングの側面図である。
【図２Ｂ】同上
【図２Ｃ】同上
【００１８】
【図３Ａ】少なくとも１つの実施形態による、内部にウェーブスプリングを収容した着脱式シリンジマイクロポンプの側面図である。
【図３Ｂ】同上
【図３Ｃ】同上
【図３Ｄ】同上
【００１９】
【図４Ａ】少なくとも１つの実施形態による、シリンジに取り付けられているウェーブスプリングを備える着脱式シリンジマイクロポンプであって、ウェーブスプリングがシリンジの胴部において伸長／弛緩した位置にあり、プランジャシールがノズルに向かって駆動された状態にある着脱式シリンジマイクロポンプの側面図である。
【図４Ｂ】同上
【００２０】
【図５Ａ】少なくとも１つの実施形態による、シリンジに取り付けられているウェーブスプリングを備える着脱式シリンジマイクロポンプであって、ウェーブスプリングがシリンジの胴部において伸長／弛緩した位置にあり、プランジャシールがノズルに向かって駆動されており、プランジャが着脱式シリンジマイクロポンプをリセットするために挿入された状態にある着脱式シリンジマイクロポンプの側面図である。
【図５Ｂ】同上
【００２１】
【図６Ａ】本発明の少なくとも１つの実施形態による、プランジャシールをシリンジのノズルに向かって駆動している、動作中のウェーブスプリングを備えた着脱式シリンジマイクロポンプを示す側面切断図である。
【図６Ｂ】同上
【図７Ａ】本発明の少なくとも１つの実施形態による、プランジャシールをシリンジのノズルに向かって駆動している、動作中のウェーブスプリングを備えた着脱式シリンジマイクロポンプを示す側面切断図である。
【図７Ｂ】同上
【００２２】
【図８】本発明の少なくとも１つの実施形態によるウェーブスプリングを備える着脱式シリンジマイクロポンプを使用するための少なくとも１つの方法のハイレベルの概要を示すフロー図である。
【発明を実施するための形態】
【００２３】
詳細な説明に進む前に、本教示があくまでも例示に過ぎず、限定を意図したものではないことを、理解すべきである。本明細書における考え方は、ウェーブスプリングを備える着脱式シリンジマイクロポンプのための特定のシステムまたは方法における使用または応用に限定されない。したがって、本明細書に記載される手段は、典型的な実施形態に関して図示および記載される説明の便宜のためのものであるが、本明細書の原理を、マイクロポンプを伴い、より詳細にはシリンジマイクロポンプを伴う他の種類のシステムおよび方法にも同様に適用できることを、理解および認識できるであろう。
【００２４】
本発明は、図面を参照して以下の説明において好ましい実施形態に関して説明されるが、図面において、同様の番号は同一または類似の要素を表す。さらに、同一または類似の要素の番号付けに関して、最も左側の値が、その要素が最初に特定されて説明された図を表しており、例えば要素１００は図１に最初に現れることを、理解できるであろう。
【００２５】
ここで図１を参照すると、着脱式シリンジマイクロポンプ（ｒｅｍｏｖａｂｌｅ  ｓｙｒｉｎｇｅ  ｍｉｃｒｏ  ｐｕｍｐ）１００（以下では、ＲＳＭＰ１００という）が分解図に示されている。図示されているように、ＲＳＭＰ１００は、主としてポンプハウジング１０２およびウェーブスプリング１０４で構成される。以下の説明によってさらに充分に理解されるように、ＲＳＭＰ１００は、取り外し可能であるため、患者またはシリンジマイクロポンプの使用を望む者に別個に提供することができ、同じ者または別の者が、同じシリンジまたは別のシリンジに再使用することができる。
【００２６】
このＲＳＭＰ１００のシステムおよび方法の説明を容易にするために、図面に示されているＲＳＭＰ１００の向きは、図１に示されている互いに直交する３つの軸を有する座標系を参照する。これらの軸は、ＲＳＭＰ１００の中心に位置するように選択された座標系の原点において互いに交差するが、すべての図において、これらの軸は、説明の分かり易さおよび容易さのために、実際の位置からずらされて図示されている。
【００２７】
ポンプハウジング１０２は、一部分が補強ベース１０８によって形成されてもよい第１の端部１０６を提供する。第１の端部１０６の反対側には、取り付け端部１１０が存在し、両者の間に少なくとも１つの側壁１１２が存在する。少なくとも１つの実施形態において、取り付け端部１１０は、１組のフランジ１１４を有する。
【００２８】
図示のように、少なくとも１つの実施形態において、ポンプハウジング１０２は、円筒形である。当然ながら、他の実施形態においては、円形以外にも、正方形、六角形、または幾何学的断面を有する構成のポンプハウジング１０２を提供することが、望ましいかもしれない。
【００２９】
ポンプハウジング１０２の内部かつ第１の端部１０６の付近に、ウェーブスプリング１０４を受け入れてポンプハウジング１０２にしっかりと固定させるような構造および配置のベース１１６がある。少なくとも１つの実施形態において、ベース１１６は、ウェーブスプリング１０４を受け入れるような構造および配置の少なくとも一つのマウンティングタブ１１８を有する。
【００３０】
図１に示されるように、ウェーブスプリング１０４は、伸長／弛緩位置にある。ウェーブスプリングは典型的には、ばね作用を提供するために追加されたウェーブをもつコイル状のフラットワイヤから作られている。ウェーブスプリングは一般にコイルスプリングと比べてばねの高さを５０％減らすことができる。したがってウェーブスプリングは空間節約という独自の利点を提供する。さらに、張力下で圧縮されたウェーブスプリング１０４の高さは、伸長時のウェーブスプリング１０４の高さよりも大幅に小さい。
【００３１】
ウェーブスプリングはまた伝統的なコイルスプリングに比べて、たわみの範囲にわたってより一貫性のある力を生成し、これにより、有利なことにＲＳＭＰ１００が動作に関して正確であることが可能になる。さらに、伝統的なコイルスプリングとは違って、ウェーブスプリング１０４は圧縮された時、ねじりの負荷を生成しない。したがってウェーブスプリング１０４は圧縮が解放される間、回転力を与えない。ウェーブスプリング１０４は典型的には比較的短い移動距離を要求する応用例で利用されるが、ウェーブスプリング１０４は５０ミリ以上の移動を提供するように製造されてもよい。少なくともある実施形態において、複数のウェーブスプリングを直列に使用してもよい。
【００３２】
ウェーブスプリングの剛性は、ばね材料の厚さおよびタイプだけでなく、ばねの１回転あたりのウェーブの数によっても決まる。したがって、ＲＳＭＰ１００の実施形態は、異なる液体を収容してシリンジから送出することができるように、異なるばね力の特徴をもたせて設計されてもよい。
【００３３】
少なくとも１つの実施形態において、ウェーブスプリング１０４の第１の端部１２０、すなわち近位端は、ベース１１６の少なくとも一部のあたりに配置され、マウンティングタブ１１８がウェーブスプリング１０４と係合する。したがって、ウェーブスプリング１０４の遠位端１２２は、ウェーブスプリング１０４が、圧縮された第１の位置から弛緩／伸長した第２の位置に移行するにつれてウェーブスプリング１０４の張力が解放されるとき、全体としてのベース１１６およびポンプハウジング１０２から遠ざかる方向に移動する。少なくとも１つの実施形態において、ＲＳＭＰ１００は、ウェーブスプリング１０４の遠位端１２２の少なくとも一部を受ける終端駆動部１２４を含む。
【００３４】
図１において、ＲＳＭＰ１００の隣に、胴部１２８を有するシリンジ１２６が示されており、胴部１２８は、ノズル１３２と、シリンジ１２６の開放端１３６に隣接する１組のフィンガグリップ１３４との間にチャンバ１３０を画定する。プランジャシール１３８が、シールを維持しつつ、胴部１２８の内側に沿って摺動することができる、胴部１２８内の可動要素であると理解および認識される。
【００３５】
図示の構成など、いくつかの構成においては、プランジャシール１３８を、可動シールをもたらすために使用することができるゴム、シリコーン、または他の半弾性材料で概して構成されたシール要素１４２に結合されたピストン要素１４０で構成することができる。今回の検討の目的において、プランジャシール１３８は、１つの部品で形成されるか、あるいは複数の部品で形成されるかにかかわらず、この構成要素であると理解される。
【００３６】
さらに、図１には、シリンジ１２６から取り出され、プランジャシール１３８から分離されたプランジャ１４４が示されている。プランジャ１４４が取り付けられると、操作者は、フィンガグリップ１３４の周囲に指を係合させ、プランジャシール１３８をチャンバ１３０内においてノズル１３２の上方の位置からノズル１３２に向かって押し込むためにプランジャ１４４を使用することができる。逆もまた真である。
【００３７】
図１において理解されるように、プランジャ１４４は、矩形のフランジなどの、位置合わせを明確にする取り付け要素１５２を有する。同様に、プランジャシール１３８は、矩形の受け部などの対応する嵌合取り付け要素１５４を有する。したがって、少なくとも１つの実施形態においては、プランジャ１４４の、プランジャシール１３８との係合およびプランジャシール１３８からの切り離しは、プランジャの取り付け要素１５２がプランジャシールの嵌合取り付け要素１５４内に配置されているときに、ねじり動作によって行われる。図示されていないさらに別の実施形態においては、プランジャ１４４は、プランジャシール１３８に結合する取り付け要素を解放するプッシュまたはプル機構を有する。
【００３８】
プランジャ１４４がプランジャシール１３８に取り付けられると、操作者は、プランジャ１４４によってプランジャシール１３８をフィンガグリップ１３４に向かってノズル１３２から引き離すことができる。この動作は、胴部１２８の内部に真空を生じさせ、シリンジ１２６が、ノズル１３２を通して流体溶液または気体を吸い上げ、ノズル１３２とプランジャシール１３８との間の胴部１２８を実質的に満たすことを可能にする。
【００３９】
図１に関して、図示のように、プランジャ１４４の長さが実際にはシリンジ１２６の胴部１２８よりも長いことを、理解すべきである。しかしながら、プランジャ１４４は取り外し可能であるため、プランジャシール１３８がフィンガグリップ１３４に隣接して配置され、あるいは適切であると考えられる胴部１２８内の他の所望の場所のどこに配置されても、プランジャ１４４が取り外されたとき、シリンジ１２６の有効長は、ほぼ胴部１２８およびノズル１３２の有効長である。
【００４０】
再びＲＳＭＰ１００に目を向け、より具体的にはポンプハウジング１０２の取り付け端部１１０に目を向けると、フランジ１１４が、シリンジ１２６のフィンガグリップ１３４に係合するような構造および配置であることを、理解できるであろう。さらに、ポンプハウジング１０２がフィンガグリップ１３４に隣接してシリンジ１２６の開放端１３６に被せられたとき、操作者は、これらの部品を互いに対して回転させて、フランジ１１４をフィンガグリップ１３４に係合させる。フィンガグリップ１３４が、人間の操作者の指のためのてこの点を提供するのとほぼ同じ方法で、フィンガグリップ１３４は、ＲＳＭＰ１００のためのてこの点を提供する。
【００４１】
少なくとも１つの実施形態において、フランジ１１４は、実質的にフィンガグリップ１３４のサイズおよび形状のはめ込み凹部を備えることができ、したがって、所定の位置に回転させられたとき、フィンガグリップ１３４が凹部に受け入れられ、ＲＳＭＰ１００が所定の位置に固定される。１つ以上の追加のばね（図示せず）が、ＲＳＭＰ１００のシリンジ１２６からの意図せぬ分離に抗してフィンガグリップ１３４をフランジの凹部または部屋にさらに係合させるためにポンプハウジング１０２とシリンジ１２６との間に分離力をもたらすことができる。
【００４２】
さらに、ウェーブスプリング１０４の終端駆動部１２４が、係合したシリンジ１２６のプランジャシール１３８と係合するような構造および配置を有することを、理解すべきである。随意選択の実施形態において、ウェーブスプリング１０４の遠位端１２２は、プランジャシール１３８に直接係合してもよい。
【００４３】
圧縮されたウェーブスプリング１０４が解放されると、張力の解放により、ウェーブスプリング１０４は、ポンプハウジング１０２から外へ終端駆動部１２４に対して伸び、その結果、プランジャシール１３８を駆動する。ポンプハウジング１０２はフランジ１１４によってフィンガグリップ１３４に対して所定の位置に固定されているため、ウェーブスプリング１０４が、圧縮された第１の位置から弛緩／伸長した第２の位置に伸びると、遠位端１２２を終端駆動部１２４に対して駆動し、それに応じてプランジャシール１３８をノズル１３２に向かって駆動する。
【００４４】
さらに、ウェーブスプリング１０４が、伝統的なプランジャ１４４の代わりに有利に動作することを、理解および認識すべきである。
【００４５】
図１にさらに示されるように、ポンプハウジング１０２は、側壁１１２に沿った寸法ＨＤ１４６を有する。少なくとも１つの実施形態において、この寸法ＨＤ１４６は、シリングの長さＳＬ１４８よりも短い。少なくとも１つの実施形態において、この寸法ＨＤ１４６は、シリングの長さＳＬ１４８の約半分であってもよい。少なくとも１つの特定の実施形態において、この寸法ＨＤ１４６は、シリングの長さＳＬ１４８の半分より小さい。さらに、ＲＳＭＰ１００はコンパクトであり、装着された時、シリンジ１２６の全長に実質的に何も加えないことを理解および認識すべきである。
【００４６】
より具体的には、側壁１１２の寸法が、シリンジ１２６の長さよりも短いことを、理解および認識すべきである。少なくとも１つの実施形態において、ポンプハウジング１０２の側壁１１２の寸法は、シリンジ１２６の長さの半分未満である。少なくとも１つの実施形態において、ポンプハウジング１０２の側壁１１２の寸法は、シリンジ１２６の長さの１／３未満である。別の少なくとも１つの実施形態において、ポンプハウジング１０２の側壁１１２の寸法は、シリンジ１２６の長さの１／４未満である。さらに、ＲＳＭＰ１００がコンパクトであり、取り付けられたときにシリンジ１２６の全長を実質的に増やさないことを、理解および認識できるであろう。
【００４７】
またさらに、プランジャ１４４が取り外されると、シリンジ１２６に結合したＲＳＭＰ１００を、注入治療セッションの最中に、個人のポケット、財布、パック、または他の空間に、おおむね任意の向きにて配置することができる。ウェーブスプリング１０４の運動は、完全にポンプハウジング１０２およびシリンジ１２６の胴部１２８の範囲内であるため、外部の物品に引っ掛かったり、あるいは外部の物品によって抑止されたりすることがない。
【００４８】
ＲＳＭＰ１００はプランジャ１４４を使用せずに有利に動作可能であるが、少なくとも１つの実施形態において、ＲＳＭＰ１００、より具体的にはポンプハウジング１０２は、プランジャ１４４がＲＳＭＰ１００を直接通過してプランジャシール１３８に係合できるよう、中央開口１５０を提供する。したがって、プランジャ１４４を使用し、プランジャシール１３８を使用してウェーブスプリング１０４を圧縮された第１の位置に引き戻し、プランジャシール１３８を再度前方に駆動するために使用できる状態にすることで、ＲＳＭＰ１００をリセットすることができる。
【００４９】
少なくとも１つの実施形態において、ＲＳＭＰ１００は、第１の位置に戻されたときにウェーブスプリング１０４を拘束するような構造および配置とされたウェーブスプリング１０４の拘束具１５６をさらに含むことができる。図１に示した典型的な実施形態においては、典型的な拘束具１５６が、遠位端１２２に近いウェーブスプリング１０４の縁に係合するスライドピンに結合する内部レバーを操作する押しボタンとして示されている。スライドピンは、ウェーブスプリング１０４の側面の溝またはスロットに随意選択的に係合することができる。あるいは、拘束具１５６は、ウェーブスプリング１０４の周囲で締められる調節可能な摩擦リングであってよい。当然ながら、本開示の教示の範囲内で、さまざまな機械的要素をウェーブスプリング１０４の拘束具１５６として使用できることを、理解および認識すべきである。
【００５０】
図２Ａ、図２Ｂ、および図２Ｃが、ＲＳＭＰ１００で使用されるウェーブスプリング１０４の有利な性質の理解および認識に役立つさらなる図を提供する。より具体的には、図２Ａにおいて、ウェーブスプリング１０４は、弛緩／伸長した第２の位置２００にて示されている。この第２の位置２００においてウェーブスプリングは弛緩した長さ寸法ＲＬ２０２を有する。
【００５１】
圧縮力２０４を加えることによって、ウェーブスプリング１０４は、図２Ｂに示されるように、各コイルのウェーブ要素が圧縮されてコイル２０６が互いに垂直に積み重なるように圧縮される。これは、ウェーブスプリング１０４の圧縮された第１の位置２０８である。この状態において、ウェーブスプリング１０４は、矢印２１０によって示されるとおり、張力下にある。より具体的には、確立された張力は、ウェーブスプリング１０４が、圧縮された第１の位置２０８からひとたび解放されると、再び弛緩／伸長した第２の位置２００に戻す伸長力２１０である。
【００５２】
図２Ｂにおいて認識されるように、この第１の位置２０８においてウェーブスプリングは圧縮された長さ寸法ＣＬ２１２を有する。図示されるように、圧縮された長さ寸法ＣＬ２１２は、弛緩された長さ寸法ＲＬ２０２のほんの一部である。圧縮された長さ寸法ＣＬ２１２はポンプハウジング１０２の寸法ＨＤ１４６（図１参照）よりも小さいため、ウェーブスプリング１０４が第１の位置２０８にある時、ウェーブスプリング１０４は実質的にポンプハウジング１０２内に配置される。
【００５３】
図２Ｃに示されるように、ウェーブスプリング１０４のコイル２０６の性質は、ウェーブスプリング１０４が開いた中心２１４を有するようなものである。したがって、この開いた中心２１４によって、ウェーブスプリング１０４は、プランジャがポンプハウジング１０２の開口１５０を通って配置されるときに、プランジャ１４４がウェーブスプリング１０４を通過してプランジャシール１３８に係合することを許容することができる。
【００５４】
さらに、少なくとも１つの実施形態において、ウェーブスプリング１０４は、所定の時間期間にわたってシリンジ１２６から溶液を送出するように相関付けられた張力を有するように選択される。換言すると、第１の張力を有する第１のウェーブスプリング１０４を、第１の速度で溶液を送出するために使用できる一方で、第１の張力よりも小さい第２の張力を有する第２のウェーブスプリング１０４を、同じ溶液を第１の速度よりも遅い第２の速度で送出するために使用することができる。
【００５５】
少なくとも１つの実施形態において、ウェーブスプリング１０４は、シリンジ１２６の胴部１２８の内部の溶液のすべてが送出されることを保証するために、胴部１２８の長さに等しく、あるいは胴部１２８の長さをわずかに超える弛緩／伸長した第２の位置２００を有するように選択される。また、ウェーブスプリング１０４が、図示されているように第１の位置２０８まで完全に圧縮される必要はないことも、理解および認識すべきである。
【００５６】
実際、ウェーブスプリング１０４は、遠位端１２２がポンプハウジング１０２から延びつつ、ウェーブスプリング１０４の大部分がポンプハウジング１０２に実質的に戻るように圧縮することができる。さらに、圧縮された第１の位置２０８は、ＲＳＭＰ１００が作動してプランジャシール１３８をノズル１３２に向かって駆動する前のＲＳＭＰ１００のポンプハウジング１０２に対するウェーブスプリング１０４の初期位置であると理解および認識される。
【００５７】
さらに、ウェーブスプリング１０４の拘束具１５６は、ＲＳＭＰ１００をシリンジ１２６に取り付けることを可能にするが、ウェーブスプリング１０４の作動は、シリンジ１２６の胴部１２８の内部の溶液の注入が所望されるような時点まで遅延される。
【００５８】
図３Ａ、図３Ｂ、図３Ｃ、および図３Ｄは、それぞれＲＳＭＰ１００の正面図、側面図、底面図、および斜視図を提供している。図示されている各々の図において、ウェーブスプリング１０４は、ポンプハウジング１０２内の圧縮された第１の位置２０８に示されている。図３Ａにおいて、ポンプハウジング１０２の高さＨＤ１４６に対するウェーブスプリング１０４の圧縮された長さ寸法ＣＬ２１２も、さらに充分に理解することができる。実際に、図３Ａ、図３Ｂ、図３Ｃ、および図３Ｄに関して、ＲＳＭＰ１００の構成要素を、シリンジが存在しない別個のＲＳＭＰ１００を構成するものとして理解できるため、ＲＳＭＰ１００の取り外し可能な性質をさらに理解することができる。
【００５９】
要約すると、少なくとも１つの実施形態において、第１の端部１０６、第１の端部１０６の反対側の取り付け端部１１０、および両者の間の少なくとも１つの側壁１１２を有するとともに、第１の端部１０６に近接したベース１１６を有するポンプハウジングであって、取り付け端部１１０は、シリンジ１２６に一時的に係合するような構造および配置の取り付け具１１４を有するポンプハウジング１０２と、ハウジングの内部に収められ、ベース１１６に近接して取り付けられたウェーブスプリング１０４とを含み、ウェーブスプリング１０４は、ウェーブスプリング１０４が張力下で圧縮され、ウェーブスプリング１０４の初期高さがポンプハウジング１０２内に配置される、第１の位置２０８と、張力の解放によってウェーブスプリング１０４が通常はポンプハウジング１０２から遠ざかる方向に伸びる第２の伸長した位置２００とを有し、ウェーブスプリング１０４は、係合したシリンジ１２６の胴部１２８内を通過するように予め選択された直径を有し、ウェーブスプリング１０４は、係合したシリンジ１２６のプランジャシール１３８と係合するような構造および配置の遠位端１２２をさらに有し、第１の位置２０８と第２の位置２００との間の張力の解放は、ウェーブスプリング１０４の遠位端１２２がプランジャシール１３８をシリンジ１２６のノズル１３２に向かって移動させることを可能にする、ＲＳＭＰ１００が提供される。
【００６０】
さらに、別の実施形態を、ベース１１６が設けられている第１の端部１０６、および第１の端部１０６の反対側の取り付け端部１１０を有する円筒形のポンプハウジング１０２であって、取り付け端部１１０は、円筒形のポンプハウジング１０２を一時的に取り付けることができるシリンジ１２６によって提供される１組のフィンガグリップ１３４に一時的に結合するような構造および配置の少なくとも１つのフランジ１１４を提供し、円筒形のポンプ１００は、中心の長手軸を有する円筒形のポンプハウジング１０２と、ベース１０８に近接して長手軸を中心にしてポンプハウジング１０２内に配置された少なくとも１つのウェーブスプリング１０４とを含んでおり、ウェーブスプリング１０４は、第１の張力下の位置２０８をもたらすようにウェーブスプリング１０４の遠位端１２２が圧縮されるときに円筒形のポンプ１０２の内側に収まるように軸方向に圧縮可能であり、ウェーブスプリング１０４の高さは、第１の張力下の位置２０８まで圧縮された時、円筒形のポンプハウジング１０２の長さとほぼ同じであり、ウェーブスプリング１０４は、シリンジ１２６の胴部１２８の内側で摺動するために充分な直径を有するようにさらに選択され、ウェーブスプリング１０４の遠位端１２２は、係合したシリンジ１２６のプランジャシール１３８と係合するような構造および配置である、ＲＳＭＰ１００と要約することができる。
【００６１】
図４Ａおよび図４Ｂは、少なくとも１つの実施形態によるシリンジ１２６に係合したＲＳＭＰ１００について、組み立てられた状態の斜視図および対応する切断図を提供している。さらに、図４Ａにおいて、ＲＳＭＰ１００は、ポンプハウジング１０２のフランジ１１４がシリンジ１２６のフィンガグリップ１３４に係合するようにシリンジ１２６上に配置されている。図４Ａに関して、ＲＳＭＰ１００が取り付けられたシリンジ１２６の全長が、シリンジ１２６だけの長さと比べてわずかに長いに過ぎないことも、理解すべきである。
【００６２】
また、外側の図である図４Ａに関して、組み立てられたＲＳＭＰ１００およびシリンジ１２６のアセンブリ内部のウェーブスプリング１０４の状態が、とりわけシリンジ１２６の胴部１２８が不透明である場合に、明らかに見える必要はないことを、理解すべきである。
【００６３】
長手軸４００に沿った切断図を示している図４Ｂにおいて、ウェーブスプリング１０４が、ポンプハウジング１０２内の第１の圧縮された位置から第２の弛緩した位置に伸びており、この位置の変化の間に放出された力の作用により、プランジャシール１３８が胴部１２８の全長にわたって押し下げられ、ここではプランジャシール１３８がノズル１３２に近接していることが分かる。
【００６４】
図５Ａおよび図５Ｂは、シリンジ１２６に係合したＲＳＭＰ１００について、同様に組み立てられた状態の斜視図および対応する切断図を提供しており、ここでは、少なくとも１つの実施形態に従ってポンプハウジング１０２の開口１５０を通って配置されたプランジャ１４４がさらに示されている。上述のように、ＲＳＭＰ１００の典型的な使用の間、プランジャが、動作に必要な全体としての空間を最小限にするとともに、何らかの異物によってプランジャが動かなくなり、あるいは他のかたちで拘束され、結果としてＲＳＭＰ１００の動作が妨げられる可能性をなくすために、取り外されることを理解および認識すべきである。
【００６５】
図５Ａおよび図５Ｂに示されるように、プランジャ１４４を、プランジャシール１３８に係合して、プランジャシール１３８をノズル１３２からフィンガグリップ１３４に向かって引き戻すように、ＲＳＭＰ１００を通って配置することができる。したがって、プランジャ１４４を、ウェーブスプリングを圧縮された第１の位置２０８に戻すことによってＲＳＭＰ１００をリセットするために使用することができる。さらに、伝統的なシリンジと同様に、プランジャ１４４を引き戻すことによって、シリンジ１２６のチャンバ内に真空が生成され、したがって流体をソースリザーバからシリンジ１２６に引き込むことができる。さらに、プランジャ１４４を、シリンジ１２６のプライミングおよびＲＳＭＰ１００のリセットの両方に使用することができる。
【００６６】
図６Ａ、図６Ｂ、図７Ａ、および図７Ｂは、使用時のＲＳＭＰ１００を示す側面断面図を提供している。より具体的には、図６Ａは、プランジャシール１３８がフィンガグリップ１３４に隣接して位置している状態でシリンジ１２６に取り付けられたときのＲＳＭＰ１００の初期状態に対応する。実際の使用においては、ドット６００で表されている、注入療法用などの流体または薬剤が、プランジャシール１３８とノズル１３２との間のチャンバ１３０内に存在すると考えられる。
【００６７】
図６Ｂにおいては、ＲＳＭＰ１００が作動し、ウェーブスプリング１０４が圧縮された／張力下の第１の位置２０８から解放され、終端駆動部１２４によってプランジャシール１３８に係合して、プランジャシール１３８をノズル１３２に向かって胴部１２８に沿った距離の約３分の１だけ移動させることで、流体６００を送出している。実際の使用において、シリンジ１２６、より具体的にはノズル１３２は、説明を簡単にするために図示されていない配管または他の送出導管に接続されると考えられる。
【００６８】
図７Ａにおいては、ＲＳＭＰ１００が動作を続け、ここではウェーブスプリング１０４がプランジャシール１３８をノズル１３２に向かって胴部１２８に沿った距離の約３分の２だけ移動させることで、流体６００をさらに送出している。
【００６９】
図７Ｂにおいては、ここでは実質的にすべての流体がシリンジ１２６から送出されるように、ウェーブスプリング１０４は、ここではプランジャシール１３８を実質的に胴部１２８の端部まで駆動し、ＲＳＭＰ１００は動作を停止している。
【００７０】
さらに、図６Ａ、図６Ｂ、図７Ａ、および図７Ｂに関して、ウェーブスプリング１０４の伸長、したがってプランジャシール１３８の前進は、ウェーブスプリング１０４が伸長／弛緩した第２の位置に到達するか、プランジャシール１３８が胴部１２８の端部にぶつかるか、あるいは拘束機構（図示せず）が係合してウェーブスプリング１０４のさらなる伸長を防止するまで続く。少なくとも１つの実施形態において、ウェーブスプリング１０４は、シリンジ１２６の胴部１２８の内部の溶液のすべてが送出されることを保証するために、完全に伸長した状態で、ウェーブスプリング１０４の長さが胴部１２８の長さに等しく、あるいは胴部１２８の長さをわずかに超えるように選択される。
【００７１】
さらに、とりわけ図６Ａ、図６Ｂ、図７Ａ、および図７Ｂに明らかなように、ウェーブスプリング１０４の動きは、完全にＲＳＭＰ１００およびシリンジ１２６の胴部１２８の内部で生じる。さらに、結合されたＲＳＭＰ１００およびシリンジ１２６の寸法について、動作中に外的変化がなく、例えばプランジャ１４４が引っ掛かったり、邪魔になったりすることがない。また、例示的な図６Ａ、図６Ｂ、図７Ａ、および図７Ｂが、例えばシリンジ全体など、フィンガグリップ１３４に近接する出発点からノズル１３２に近接する胴部１２８の端部までプランジャシール１３８を駆動するためのＲＳＭＰ１００の使用を示しているが、ＲＳＭＰ１００が、シリンジ全体よりも少ない初期開始容積を有するシリンジにおける使用にも同様に適用可能かつ適していることを理解および認識すべきであることに、留意されたい。
【００７２】
ＲＳＭＰ１００およびシリンジ１２６が小型でコンパクトであるという性質によって、この組み合わされた構造物をポケットに入れた状態で注入を行うことを容易にすることができる。さらに、ウェーブスプリング１０４の動作が張力の機械的解放であるため、ＲＳＭＰ１００の動作が向きに依存しないことを理解および認識できるであろう。
【００７３】
輸送のために、ＲＳＭＰ１００をシリンジ１２６の胴部１２８に取り付け、プランジャ１４４をポンプハウジング１０２の開口１５０を通って挿入して、プランジャシール１３８に据え付けてもよく、プランジャシール１３８は、ノズル１３２に隣接するシリンジ１２６の底部に対して配置することができる。したがって、シリンジ１２６およびＲＳＭＰ１００は、コンパクトなシステムである。ＲＳＭＰ１００の使用が所望されるとき、プランジャ１４４を引き出すことによってプランジャシール１３８を引き戻すことができ、このプロセス中に、次に所望される溶液で胴部１２８を満たすことができる。
【００７４】
プランジャシール１３８が所望の量の溶液をもたらすための充分な地点に適切に配置された状態で、プランジャ１４４をプランジャシール１３８から切り離し、廃棄することができる。ここではプランジャ１４４が取り外されるので、ＲＳＭＰ１００およびシリンジ１２６は、再び好都合にコンパクトなシステムである。すでに述べたように、サイズの外的変化がないように、ウェーブスプリング１０４の動作は完全に内部である。
【００７５】
ＲＳＭＰ１００の以上の説明に関して、上述した、ＲＳＭＰ１００の取り外し可能な性質を、ここではさらに充分に理解することができる。実際に、ＲＳＭＰ１００は、取り外し可能であるだけでなく、再使用可能でもある。すなわち、ＲＳＭＰ１００をリセットし、プライミングされ、シリンジポンプを備えずに届けられた新たなシリンジに取り付けることができ、したがって、これらに限られるわけではないが輸送、保管、材料、および使用の教育などの部門の範囲にまたがる節約が可能になる。ひとたび患者または当事者がＲＳＭＰ１００を使い終えると、そのＲＳＭＰ１００を新たな当事者のために再使用することも可能である。またさらに、ＲＳＭＰ１００を複数の者が共有し、当然ながら異なる時点においてＲＳＭＰ１００を使用してもよい。
【００７６】
ＲＳＭＰ１００の実施形態を説明したので、次に、ＲＳＭＰ１００を使用する少なくとも１つの方法８００に関する他の実施形態を、上述の例示に関し、特に図８に関して説明する。説明される方法７００は、必ずしも本明細書に記載される順序で実行される必要はなく、これは、ＲＳＭＰ１００を使用するための１つの方法の単なる例示に過ぎないことを、理解できるであろう。
【００７７】
一般に、使用方法８００は、ノズル１３２と１組のフィンガグリップ１３４との間に延びる胴部１２８を有するシリンジ１２６を用意することで始まる（ブロック８０２）。簡略化のために、プランジャシール１３８が、胴部１２８の内部かつフィンガグリップ１３４の付近に配置され、プランジャシール１３８とノズル１３２との間に溶液が配置されていると仮定する。さらに、これは、患者に注入するための溶液をもたらすためにすぐに使用することができる状態のシリンジ１２６である。
【００７８】
次に、フィンガグリップ１３４に係合するような構造および配置の１組のフランジ１１４を有するＲＳＭＰ１００を用意する（ブロック８０４）。さらに、用意されるＲＳＭＰ１００は、上述のように、主としてポンプハウジング１０２およびウェーブスプリング１０４で構成される。方法８００は、次に、フランジ１１４をフィンガグリップ１３４の周囲に配置することによってＲＳＭＰ１００をシリンジ１２６に結合させる（ブロック８０６）。
【００７９】
その後、ウェーブスプリング１０４が解放され、シリンジ１２６のプランジャシール１３８に係合して、プランジャシール１３８をノズル１３２に向かって駆動し、溶液をシリンジ１２６から送出する（ブロック８０８）。
【００８０】
ＲＳＭＰ１００および関連づけられた使用方法７００に関する上記の説明に関して、少なくとも１つの実施形態においてウェーブスプリング１０４は、図示しない少なくとも１つの渦巻きばねによって覆われてもよい。より具体的には、ウェーブスプリングを保護し、圧縮および伸長の間、よじれないことを保証するのを助けるために、１以上の渦巻きばねを少なくとも部分的に用いてもよい。さらに別の実施形態において、ウェーブスプリング１０４は、シリンジ１２６のプランジャシール１３８と相互作用してプランジャシール１３８をノズル１３２に向かって駆動するように整列された配置で渦巻きばねと結合してもよい。さらに、１以上の渦巻きばねが、ウェーブスプリング１０４の周りの鞘として、あるいはウェーブスプリング１０４に配置される付加的ばね要素として少なくとも部分的に作用するであろうが、この１以上の渦巻きばねは「渦巻きばねを備える着脱式シリンジマイクロポンプのためのシステムおよび方法」という名称の米国特許出願第１５／２９１，７５８号（この米国特許出願の開示は、参照によって本明細書に組み込まれる）に記載された着脱式マイクロポンプに用いられる渦巻きばねであってもよい。
【００８１】
本明細書の範囲から逸脱することなく、上述の方法、システム、および構造において変更を行うことができる。したがって、以上の説明に含まれる事項、および／または添付の図面に示されている事項は、例示として解釈されるべきであり、限定の意味で解釈されてはならないことに留意されたい。実際、当業者にとって明らかであるように、他の多くの実施形態が好適に可能である。本明細書で論じた実施形態は、以下の特許請求の範囲を限定するものではなく、以下の特許請求の範囲は、本明細書で論じた実施形態に限られず、むしろ特許請求の範囲の文言および均等論によってのみ限定される。
【図１】
2019530536.tif 000003
【図２Ａ−２Ｂ】
2019530536.tif 000004
【図２Ｃ】
2019530536.tif 000005
【図３Ａ】
2019530536.tif 000006
【図３Ｂ】
2019530536.tif 000007
【図３Ｃ】
2019530536.tif 000008
【図３Ｄ】
2019530536.tif 000009
【図４Ａ】
2019530536.tif 000010
【図４Ｂ】
2019530536.tif 000011
【図５Ａ】
2019530536.tif 000012
【図５Ｂ】
2019530536.tif 000013
【図６Ａ−６Ｂ】
2019530536.tif 000014
【図７Ａ−７Ｂ】
2019530536.tif 000015
【図８】
2019530536.tif 000016
【国際調査報告】
2019530536.tif 000017
2019530536.tif 000018